(57)【要約】【課題】  作図対象物のシーケンス図の更新の作成を効率よく行うことができる作図システムを提供する。【解決手段】  複数の部分にて構成される作図対象物のシーケンス図を作成する作図システムにおいて、過去に作成された作図対象物のシーケンス図にて成る過去図面データを格納する図面データベース５と、作図対象物のデータおよび作図対象物の更新箇所に対応する更新前のデータに関連づけされた更新後のデータを格納する対象物データベース６と、対象物データベース６の作図対象物のデータに基づいて作図対象物に対応する過去図面データを抽出する更新データ抽出手段７と、抽出された過去図面データ内の更新箇所に対応する部分を対象物データベース６に格納された更新前のデータから更新後のデータに置換するデータ置換手段８と、データ置換手段８にて置換されたデータに基づいてシーケンス図を作成して出力する出力手段３とを備えたものである。【選択図】        図１
2006146402.tif 000002
【特許請求の範囲】
【請求項１】
複数の部分にて構成される作図対象物のシーケンス図を作成する作図システムにおいて、過去に作成された上記作図対象物のシーケンス図にて成る過去図面データを格納する図面データベースと、上記作図対象物のデータおよび上記作図対象物の更新箇所に対応する更新前のデータに関連づけされた更新後のデータを格納する対象物データベースと、上記対象物データベースの上記作図対象物のデータに基づいて上記図面データベースから上記作図対象物に対応する上記過去図面データを抽出する更新データ抽出手段と、上記更新データ抽出手段にて抽出された上記過去図面データ内の上記更新箇所に対応する部分を上記対象物データベースに格納された上記更新前のデータから上記更新後のデータに置換するデータ置換手段と、上記データ置換手段にて置換されたデータに基づいてシーケンス図を作成して出力する出力手段とを備えたことを特徴とする作図システム。
【請求項２】
上記データ置換手段にて置換されたデータの内、ロジックを構成している箇所を判別するロジック判別手段と、上記ロジック判別手段にて判別された複数のロジックを統合するロジック統合手段とを備え、上記出力手段は上記統合されたロジックを表現する統合シンボルを使用して上記シーケンス図を作成して出力することを特徴とする請求項１または請求項２に記載の作図システム。
【請求項３】
上記統合されたロジックをロジックシートとして作成するシート作成手段を備え、上記出力手段は上記統合されたロジック箇所を上記ロジックシートとリンクさせて上記シーケンス図を作成して出力することを特徴とする請求項２に記載の作図システム。
【請求項４】
上記ロジック統合手段にて統合されたロジックをソフトウエアに展開可能なデータに変更する変更手段を備えたことを特徴とする請求項２または請求項３に記載の作図システム。
【請求項５】
上記ロジック統合手段にて統合されたデータの内、統合されることにより不要となる接続一覧を上記更新前のデータの基づいて作成する一覧作成手段を備えたことを特徴とする請求項２ないし請求項４のいずれかに記載の作図システム。
【発明の詳細な説明】
【技術分野】
【０００１】
この発明は、作図対象物のシーケンス図の更新の作成を効率よく行うことができる作図システムに関するものである。
【背景技術】
【０００２】
従来の作図システムは、過去に作成した図面データを格納している作図データベース部を備え、制御部が、今回作図する作図対象物を構成している機器と当該機器の個数を示す品目リストに基づいて、作図データベース部に格納されている図面データの中から、作図対象物の構成に最も近い作図図面データを検索し、検索された図面データと作図対象物の相違点だけを修正して、作図対象物の図面を編集し、出力部によりそれを印刷する（例えば、特許文献１参照）。
【０００３】
【特許文献１】特開２００３−２７１６９１号公報
【発明の開示】
【発明が解決しようとする課題】
【０００４】
従来の作図システムは、作図対象物に近い構成の既存図面データを検索し、検索された図面データを流用元図として作図対象物との相違点を修正していくものであり、流用元図の検索は機械化されているが、流用元図における修正個所を人手により抽出する必要があるため、抽出漏れが発生する可能性があった。また作図対象物が各装置を制御する制御盤である場合には、例えばハードウエアで構成されたロジックのソフトウエア化により修正範囲が広くなり、作図作業が効率的に実施できないという問題点があった。よって、図面作成の他の手法として、印刷された既存シーケンス図上に制御盤に関わる変更情報を朱書きし、それに基づいてオペレータがＣＡＤデータを修正するということにより対応していたので、図面作成に大幅な時間を要するという問題点があった。
【０００５】
この発明は上記のような課題を解決するためになされたものであり、シーケンス図面作成の効率化を図るための作図システムを得ることを目的とする。
【課題を解決するための手段】
【０００６】
本発明は、複数の部分にて構成される作図対象物のシーケンス図を作成する作図システムにおいて、過去に作成された作図対象物のシーケンス図にて成る過去図面データを格納する図面データベースと、作図対象物のデータおよび作図対象物の更新箇所に対応する更新前のデータに関連づけされた更新後のデータを格納する対象物データベースと、対象物データベースの作図対象物のデータに基づいて図面データベースから作図対象物に対応する過去図面データを抽出する更新データ抽出手段と、更新データ抽出手段にて抽出された過去図面データ内の更新箇所に対応する部分を対象物データベースに格納された更新前のデータから更新後のデータに置換するデータ置換手段と、データ置換手段にて置換されたデータに基づいてシーケンス図を作成して出力する出力手段とを備えたものである。
【発明の効果】
【０００７】
本発明の作図システムは、複数の部分にて構成される作図対象物のシーケンス図を作成する作図システムにおいて、過去に作成された作図対象物のシーケンス図にて成る過去図面データを格納する図面データベースと、作図対象物のデータおよび作図対象物の更新箇所に対応する更新前のデータに関連づけされた更新後のデータを格納する対象物データベースと、対象物データベースの作図対象物のデータに基づいて図面データベースから作図対象物に対応する過去図面データを抽出する更新データ抽出手段と、更新データ抽出手段にて抽出された過去図面データ内の更新箇所に対応する部分を対象物データベースに格納された更新前のデータから更新後のデータに置換するデータ置換手段と、データ置換手段にて置換されたデータに基づいてシーケンス図を作成して出力する出力手段とを備えたので、作図対象物のシーケンス図の更新の作成を効率よく行うことができる。
【発明を実施するための最良の形態】
【０００８】
実施の形態１．
以下、この発明の実施の形態１の作図システムについて説明する。この発明の作図システムは例えば運用開始済みのプラントコントローラ等の複数の部分にて構成される作図対象物としての制御盤を更新する場合のシーケンス図を作成する際などに利用されるものである。図１は実施の形態１における作図システムの構成を示したブロック図、図２は図１に示した作図システムの抽出方法を説明するための図、図３は図２にて抽出された部分の更新後のデータを示した図である。図において、キーボードやマウスなどから構成される入力手段１と、処理した情報や入力情報を表示する表示手段としてのディスプレイ４と、過去に制御盤のために作成したシーケンス図が過去図面データとして格納された図面データベース５と、各制御盤の信号名称、信号発信元／要求元、信号種別、線番、Ｉ／Ｏカード番号、端子番号等の作図対象物のデータと制御盤の更新箇所に対応する更新前のデータに関連づけされた更新後のデータが格納された対象物データベース６とを備える。
【０００９】
さらに、入力手段１に入力された情報から更新される制御盤のデータを対象物データベース６から抽出し、このデータに基づいて更新される制御盤の含まれるシーケンス図を図面データベース５から抽出する更新データ抽出手段７と、更新データ抽出手段７にて抽出された過去図面データの内、図面のシンボルを更新前のシンボルのデータから更新後のシンボルのデータに置換するデータ置換手段８と、データ置換手段８にて置換されたデータに基づいてシーケンス図を作成して出力する出力手段３と備える。また、出力手段３はシーケンス図面または更新データ抽出手段７およびデータ置換手段８などにて処理された情報を出力するプリンタ等の機能も有している。
【００１０】
次に上記のように構成された実施の形態１の作図システムの動作について説明する。まず、運用開始済みのプラントコントローラ等の制御盤を更新する場合、ユーザが更新する対象となる制御盤を入力手段１により入力する。ここで入力する情報は制御盤の名称でも略称でもよく、直接入力するか、あるいはディスプレイ４上に対象物データベース６を用いて制御盤のリスト等の表示し、そのリスト中から今回更新する制御盤を選択可能としてもよい。次に、更新データ抽出手段７が、図２に示すように、図面データベース５に存在する多数の過去図面データとしてのシーケンス図群２１の中から、入力された入力情報２２と更新する対象となる制御盤のデータを対象物データベース６の発信元情報等に基づき、更新される対象となる制御盤が含まれるシーケンス図２３を抽出する。
【００１１】
この際、図２のシーケンス図２３に示すように、シーケンス図２３中の更新される対象となる制御盤に関わるシンボルを例えば色変え（ここでは他の部分と異なり線種を太くすることにより示している）して明確にして、ディスプレイ４に表示する。この場合、図２のシーケンス図２３の図面上下図の内、更新されるために抽出されたシンボルの一例が範囲２４であり、詳細を図２の詳細範囲２５に示す。図２の詳細範囲２５の例ではシーケンス図２３の構成要素２６ａ、２６ｂ、２６ｃ、２６ｄ、２６ｅは、略称がＡＲＰという更新される対象となる制御盤に関わるシンボルとして抽出されたことが判る。
【００１２】
次に、図２に示すマウスポインタ２７を各構成要素２６ａ、２６ｂ、２６ｃ、２６ｄ、２６ｅ上に移動させクリックすると、データ置換手段８が対象物データベース６の信号種別データ等を参照し、更新前のデータから更新後のデータを抽出し、この構成要素のシンボルを図３の範囲３２の構成要素３１ａ、３１ｂ、３１ｃ、３１ｄ、３１ｅに示すような更新後のデータであるＩ／Ｏシンボルに置換する。そして、出力手段３はこのデータ置換手段８にて置換されたデータおよび先に更新データ抽出手段７にて抽出されているシーケンス図２３に基づいてシーケンス図を作成して出力する。
【００１３】
上記のように構成された実施の形態１の作図システムは、入力された更新される対象となる作図対象物（制御盤）に関わるシーケンス図を、多数のシーケンス図を保存している図面データベースから迅速に抽出するだけでなく、修正すべき個所を明確にした状態で表示し、更に機械的に更新される対象となる作図対象物のデータ（シンボル）に変更できるようにしたので、抽出漏れや変更誤りをなくし、図面作成作業を大幅に効率化することができる。すなわち、更新部分の更新前のデータと更新後のデータとを関連づけたデータとして登録しておけば、その更新箇所が含まれているすべてのシーケンス図に対してこの登録されたデータに基づいて同様に更新を行うことができる。
【００１４】
尚、上記実施の形態１では、図面データベースの中のデータが電子化されたデータの場合について示しているが、これに限られることはなく、例えば図４に示すように、手書き図面であっても、手書き図面データベース５ａを図面認識電子化手段５ｂにより電子化し、このデータを図面データベース５に格納すれば、上記実施の形態１と同じように手書き図面を作図作業に利用し同様に行うことができる。よって、手書きの図面であっても有効に利用することが可能となる。
【００１５】
実施の形態２．
図５はこの発明の実施の形態２における作図システムの構成を示すブロック図、図６は図５に示すロジック統合手段にて統合されたロジックを示す図である。図において、上記実施の形態１と同様の部分は同一符号を付して説明を省略する。データ置換手段８で置換された各シンボルの接続状態を対象物データベース６の線番データ等を参照し、各々の接続関係によりロジックを構成している構成要素（Ｉ／Ｏシンボル）を判別するロジック判別手段９と、ロジック判別手段９で判別された複数のロジックを表現する統合シンボルに置き換えるロジック統合手段１０とを備える。
【００１６】
次に上記のように構成された実施の形態２の作図システムの動作について説明する。まず、上記実施の形態１と同様の工程を経て、シンボルの置換を行った後に、ロジック判別手段９にてロジックを構成している箇所を判別する。そして、ロジック統合手段１０にて複数のロジックを統合し統合シンボルに置き換え、図面の簡素化を図る。例えば、上記実施の形態１にてシンボルの置換された図３において、ロジック判別手段９は、構成要素３１ａ、３１ｂとではＯＲロジックを構成し、その出力と構成要素３１ｃ、３１ｄ、３１ｅとではＡＮＤロジックを構成していることを判別する。
【００１７】
よって、図３における範囲３２は、図６に示すようなロジックと等価であると判断される。次に、ロジック統合手段１０は、判別されたロジックを構成している一連のＩ／Ｏシンボルを統合シンボルに置換する。すなわち、図３の構成要素３１ａ〜３１ｅが図６に示すロジックを構成していることから、シーケンス図上では図３の構成要素３１ａ〜３１ｅが図７の構成要索７１に示すような統合シンボルに置き換えられ図面データベース５に記録される。そして、出力手段３は統合されたロジックの統合シンボルを使用してシーケンス図を作成して出力する。
【００１８】
上記のように構成された実施の形態２の作図システムは、上実施の形態１と同様の効果を奏するのはもちろんのこと、ロジックを判別して統合シンボルに置換するため、図面の簡素化を容易に図ることができる。
【００１９】
尚、上記実施の形態２では、更新後のシンボルの接続関係からロジックを判別し、統合シンボルに置換する処理について述べたが、例えば図７の詳細なロジックをロジックシート７２として作成し、詳細なロジックをロジックシート７２のデータとして図面データベース５に記録することにより管理する。そして、出力手段３は統合されたロジック箇所をロジックシート７２とリンクさせシーケンス図を作成して出力し、統合シンボルをクリックすることによりロジックシート７２を抽出できるようにする。このようにすればより一層の図面の簡素化が図れるとともに、詳細なロジックが必要となる場合はロジックシート７２がリンクしているためすぐに確認することができる。
【００２０】
実施の形態３．
図８は実施の形態３における作図システムの構成を示すブロック図である。図において上記実施の形態２と同様の部分は同一符号を付して説明を省略する。図において、統合シンボルに含まれるロジックをソフトウエアに展開可能なデータに変換する変更手段１１と、それを出力するためのソフトウエア出力手段１２とを備える。
【００２１】
上記のように構成された実施の形態３の作図システムは、統合されたロジックをソフトウエアに展開可能なデータを容易に外部に出力可能とした。よって、出力されたデータをそのままソフトウエア製作に流用でき、ソフトウエア作成時間の大幅な短縮が可能となる。
【００２２】
実施の形態４．
上記各実施の形態において、更新前はハードウエアで構成されていたロジックが更新後はソフトウエアで構成されるため、更新前ハードウエアロジックを構成する各構成要索間のケーブル、例えば図２のケーブル２８ａ〜２８ｄ（更新前のデータ）に示す接続部分は不要となり撤去となるが、シーケンス図上にその情報は表示されない。本実施の形態４ではこのことを解消するために形成された作図システムである。
【００２３】
図９はこの発明の実施の形態４における作図システムの構成を示すブロック図である。図において、上記実施の形態２と同様の部分は同一符号を付して説明を省略する。ロジック統合手段１０にて統合されたロジックにより不要となる接続の一覧を更新前のデータに基づいて作成する一覧作成手段１３と、この不要となる接続の一覧を出力する一覧出力手段１４とを備える。
【００２４】
上記のように構成された実施の形態４の作図システムは、不要となる接続（ケーブル）のリストを容易に作成可能とし、また、一覧出力手段１４を追加して、作成されたケーブルリストを外部に出力可能としたので、更新に伴いロジックをソフトウエアで構成する際に不要となるケーブルリストを容易に表示やプリンタ等にて出力することができ、工事管理の効率化を図ることができる。
【図面の簡単な説明】
【００２５】
【図１】この発明の実施の形態１における作図システムの構成を示すブロック図である。
【図２】図１に示した作図システムの抽出方法を説明するための図である。
【図３】図２に抽出された部分の更新後のデータを示した図である。
【図４】この発明の実施の形態１における他の作図システムの構成を示すブロック図である。
【図５】この発明の実施の形態２における作図システムの構成を示すブロック図である。
【図６】図５に示したロジック統合手段にて統合されたロジックを示す図である。
【図７】図５に示した統合されたロジックのロジックシートの構成を示す図である。
【図８】この発明の実施の形態３における作図システムの構成を示すブロック図である。
【図９】この発明の実施の形態４における作図システムの構成を示すブロック図である。
【符号の説明】
【００２６】
１  入力手段、３  出力手段、５  図面データベース、６  対象物データベース、
７  更新データ抽出手段、８  データ置換手段、９  ロジック判別手段、
１０  ロジック統合手段、１１  変更手段、１３  一覧作成手段、２３  シーケンス図、
７２  ロジックシート。
【図１】
2006146402.tif 000003
【図２】
2006146402.tif 000004
【図３】
2006146402.tif 000005
【図４】
2006146402.tif 000006
【図５】
2006146402.tif 000007
【図６】
2006146402.tif 000008
【図７】
2006146402.tif 000009
【図８】
2006146402.tif 000010
【図９】
2006146402.tif 000011